(57)【要約】      （修正有）【課題】車両に搭載されたビューモニター装置に後付けで簡単に取り付けることができるモニターカバーを提供する。【解決手段】ビューモニター装置２のモニターハウジング１２の受光部４０に付着した水滴を除去するためのモニターカバー。モニターカバーは、モニターハウジング１２に装着されるカバー本体を備え、このカバー本体には、モニターハウジング１２の受光部４０に対応して開口２２が設けられている。カバー本体の開口２２には、更に、受光部４０の前面側に間隔をおいて水滴流下部材２４が設けられ、受光部４０に付着した水滴は、この水滴流下部材２４に沿って下方に流下し、これによって、受光部４０に水滴が溜まるのを防止することができる。【選択図】図３
2015046775.tif 000002
【特許請求の範囲】
【請求項１】
ビューモニター装置のモニターハウジングの受光部に付着した水滴を除去するためのモニターカバーであって、
前記モニターハウジングに装着されるカバー本体を備え、前記カバー本体には、前記モニターハウジングの前記受光部に対応して開口が設けられ、前記開口には、前記受光部の前面側に間隔をおいて水滴流下部材が設けられ、前記受光部に付着した水滴は前記水滴流下部材に沿って下方に流下することを特徴とするモニターカバー。
【請求項２】
前記カバー本体は、前記モニターハウジングの一端部に被嵌される側壁部と、前記側壁部の一端側に設けられた端壁部とを有し、前記端壁部に前記開口が設けられているとともに、前記モニターハウジングの前記受光部と所定間隔を保つための位置決め突部が設けられていることを特徴とする請求項１に記載のモニターカバー。
【請求項３】
前記水滴流下部材は、前記モニターハウジングの前記受光部の前記前面側に傾斜して延び、その一端側から他端側に向けて前記受光部との間隔が漸減するように構成されていることを特徴とする請求項１又は２に記載のモニターカバー。
【請求項４】
受光部を有するモニターハウジングと、前記モニターハウジング内に内蔵されたレンズ手段及び撮像手段と、を備えたビューモニター装置において、
前記モニターハウジングの前記受光部の前面側に間隔をおいて水滴流下部材が設けられ、前記受光部に付着した水滴は前記水滴流下部材に沿って下方に流下することを特徴とするビューモニター装置。
【請求項５】
前記モニターハウジングに装着されるモニターカバーを更に備え、前記モニターカバーは、前記モニターハウジングの前記受光部に対応して設けられた開口を有するカバー本体を備え、前記水滴流下部材は、前記カバー本体の前記開口に設けられていることを特徴とする請求項４に記載のビューモニター装置。
【発明の詳細な説明】
【技術分野】
【０００１】
本発明は、車両などに搭載されるビューモニター装置及びこれに用いるモニターカバーに関する。
【背景技術】
【０００２】
車両の後部（例えば、ライセンスガーニッシュの底部）に後方視認の補助のためにバックガイド用のビューモニター装置が設けられている。このビューモニター装置は、車両の後部に取り付けられるモニターハウジングを備え、このモニターハウジングの前面に受光部が設けられ、この受光部を通しての光がレンズ手段を通して撮像手段に受光され、撮像手段の受光信号を処理することによって、後方視認の画像情報が得られる。
【０００３】
このビューモニター装置において、雨天などのときにモニターハウジングの受光部に水滴が付着すると、付着した水滴によって外部からの光が所要の通りに撮像手段に受光されず、所望の画像情報が得られなくなる。
【０００４】
このようなことから、モニターハウジングの受光部に付着した水滴をなどを除去するための清掃手段を備えたビューモニター装置が提案されている（例えば、特許文献１参照）。このビューモニター装置では、モニターハウジングが収納位置と作動位置との間を揺動自在に装着され、この揺動経路に対向して清掃手段（拭き取り部）が設けられ、モニターハウジングが収納位置から作動位置に、また作動位置から収納位置に揺動するときに、清掃手段がモニターハウジングの受光部に作用し、この清掃手段によって受光部に付着した水滴などを除去することができる。
【先行技術文献】
【特許文献】
【０００５】
【特許文献１】特開２０１０−１５５４８４号公報
【発明の概要】
【発明が解決しようとする課題】
【０００６】
しかしながら、上述した清掃手段については、ビューハウジングが収納位置と作動位置との間を揺動自在に構成された形態のものに適用することができるが、ビューハウジングが車両の後部に固定的に設けられたものには適用することがでず、このような形態のものに適用しようとすると、清掃手段を第１角度位置と第２角度位置との間を揺動自在に構成し、かかる揺動中に清掃手段がビューハウジングの受光部に作用するように構成する必要がある。それ故に、このような清掃手段を適用しようとすると、ビューハウジングの支持構造が複雑になったり、或いは清掃手段の支持構造が複雑になる。また、車両に搭載されたビューモニター装置に後付けで清掃手段を取り付けるのが難しい。
【０００７】
本発明の目的は、車両に搭載されたビューモニター装置に後付けで簡単に取り付けることができるモニターカバーを提供することである。
【０００８】
本発明の他の目的は、簡単な構成でもって受光部に付着した水滴を除去することができるビューモニター装置を提供することである。
【課題を解決するための手段】
【０００９】
本発明の請求項１に記載のモニターカバーは、ビューモニター装置のモニターハウジングの受光部に付着した水滴を除去するためのモニターカバーであって、
前記モニターハウジングに装着されるカバー本体を備え、前記カバー本体には、前記モニターハウジングの前記受光部に対応して開口が設けられ、前記開口には、前記受光部の前面側に間隔をおいて水滴流下部材が設けられ、前記受光部に付着した水滴は前記水滴流下部材に沿って下方に流下することを特徴とする。
【００１０】
また、本発明の請求項２に記載のモニターカバーでは、前記カバー本体は、前記モニターハウジングの一端部に被嵌される側壁部と、前記側壁部の一端側に設けられた端壁部とを有し、前記端壁部に前記開口が設けられているとともに、前記モニターハウジングの前記受光部と所定間隔を保つための位置決め突部が設けられていることを特徴とする。
【００１１】
また、本発明の請求項３に記載のモニターカバーでは、前記水滴流下部材は、前記モニターハウジングの前記受光部の前記前面側に傾斜して延び、その一端側から他端側に向けて前記受光部との間隔が漸減するように構成されていることを特徴とする。
【００１２】
また、本発明の請求項４に記載のビューモニター装置は、受光部を有するモニターハウジングと、前記モニターハウジング内に内蔵されたレンズ手段及び撮像手段と、を備えたビューモニター装置において、
前記モニターハウジングの前記受光部の前面側に間隔をおいて水滴流下部材が設けられ、前記受光部に付着した水滴は前記水滴流下部材に沿って下方に流下することを特徴とする。
【００１３】
更に、本発明の請求項５に記載のビューモニター装置では、前記モニターハウジングに装着されるモニターカバーを更に備え、前記モニターカバーは、前記モニターハウジングの前記受光部に対応して設けられた開口を有するカバー本体を備え、前記水滴流下部材は、前記カバー本体の前記開口に設けられていることを特徴とする。
【発明の効果】
【００１４】
本発明の請求項１に記載のモニターカバーによれば、モニターハウジングの受光部に対応してカバー本体に開口が設けられ、この開口に水滴流下部材が設けられているので、雨天などにおいてモニターハウジングの受光部に水滴が付着すると、付着した水滴はこの水滴流下部材に沿って下方に流下し、これによって、この受光部に水滴が付着した状態になるのを防止することができる。
【００１５】
また、本発明の請求項２に記載のモニターカバーによれば、カバー本体が側壁部を備えているので、この側壁部をモニターハウジングに被嵌することによって、簡単に且つ容易に装着することができる。また、カバー本体の端壁部に位置決め突部が設けられているので、モニターハウジングの受光部とカバー本体の端壁部、換言すると水滴流下部材との間隔を所定間隔に保つことができる。
【００１６】
また、本発明の請求項３に記載のモニターカバーによれば、水滴流下部材がモニターハウジングの受光部の前面側に傾斜して延び、その一端側から他端側に向けて受光部との間隔が漸減するように構成されているので、この受光部に付着した水滴を水滴流下部材に沿って効果的に流下させることができる。
【００１７】
また、本発明の請求項４に記載のビューモニター装置によれば、モニターハウジングの受光部の前面側に間隔をおいて水滴流下部材が設けられているので、モニターハウジングの受光部に付着した水滴は水滴流下部材に沿って下方に流下し、これによって、ビューモニター装置の受光部に水滴が付着した状態になるのを防止することができる。
【００１８】
更に、本発明の請求項５に記載のビューモニター装置によれば、モニターカバーの開口に水滴流下部材が設けられているので、このモニターカバーをモニターハウジングに装着することによって、モニターハウジングの受光部の前面側に水滴流下部材を簡単に且つ容易に設けることができる。
【図面の簡単な説明】
【００１９】
【図１】本発明に従うビューモニター装置の一実施形態を備えた車両の一部を簡略的に示す図。
【図２】図１のビューモニター装置を示す斜視図。
【図３】図２におけるＩＩＩ−ＩＩＩ線による断面図。
【図４】ビューモニター装置のモニターカバーの変形形態を示す断面図。
【図５】本発明に従うビューモニター装置の他の実施形態の一部を簡略的に示す断面図。
【発明を実施するための形態】
【００２０】
以下、添付図面を参照して、本発明に従うビューモニター装置（及びこれに装着するモニターカバー）の実施形態について説明する。図１において、図示のビューモニター装置２は、例えば、車両４のバックドア６に取り付けられる。この形態では、バックドア６には後方に突出するライセンスガーニッシュ８が設けられ、このライセンスガーニッシュ８の基部にビューモニター装置２が配設されている。また、バックドア６には、ライセンスプレート１０が取り付けられている。
【００２１】
図１とともに図２及び図３を参照して、ビューモニター装置２は、矩形箱状のモニターハウジング１２を備え、このモニターハウジング１２の一部（即ち、前部）がライセンスガーニッシュ８から後方に突出するように固定的に取り付けられている。このモニターハウジング１２の一部（即ち、ライセンスガーニッシュ８から突出する部位）にモニターカバー１４が装着されている。尚、図１は、モニターカバー１４を装着しない状態で示す、図２は、モニターカバー１４を装着した状態で示す。
【００２２】
図示のモニターカバー１４が、モニターハウジング１２の一端部（即ち、前端部）に取り付けられるカバー本体１６を備え、このカバー本体１６は、モニターハウジング１２の一端部の外形に対応した形状の側壁部１８と、この側壁部１８の一端に設けられた端壁部２０とを有し、この端壁部２０の略中央部に円形状の開口２２が設けられている。
【００２３】
このカバー本体１６の開口２２の前面側（図３において左面側）には、水滴流下部材２４が配設されている。水滴防止部材２４は、例えば金属製ワイヤ、合成樹脂製糸、合成樹脂製棒状材などから形成され、その直径が例えば０．５〜１．５ｍｍ程度のものを用いることができる。この水滴流下部材２４は、開口２２の幅方向（図２において左右方向、図３において紙面に垂直な方向）略中央部に配置され、その一端側がカバー本体１６の端壁部２０の一端部（図２において上端部）を貫通し、その一端側の係止部２８が端壁部２０の内面に係止され、その他端側がカバー本体１６の端壁部の他端部（図２において下端部）を貫通し、その他端側の係止部３０が端壁部２０の内面に係止されている。水滴流下部材２４は、カバー本体１６の表面側をこの表面に沿って平行に下方（図２において下方）に直線状に延びている。
【００２４】
このカバー本体１６の端壁部２０の内面には、位置決め突部３２が設けられている。この形態では、位置決め突部３２は、カバー本体１６における開口２２を規定する内周部に設けられた環状突部から構成されている。尚、位置決め突部３２は、このような環状突部に代えて、開口２２を規定する内周部に周方向に間隔をおいて配設された複数の柱状突部から構成することもできる。
【００２５】
この形態では、モニターハウジング１２の前端壁３４に受光開口３６が設けられ、この受光開口３６を覆うようにカバー部材３８が取り付けられている。カバー部材３８は、透明なプレート状部材、例えばガラス部材から形成され、このガラス部材３９及び受光開口３６が受光部４０を構成する。モニターハウジング１２にはレンズ手段４２及び撮像手段４４（例えば、ＣＣＤ）が内蔵され、受光部４０からの光はレンズ手段４２を通して撮像手段４２に受光され、撮像手段４２の受光信号を所要の通りに画像処理することによって後方視認の画像情報が得られ、この画像情報をモニター手段（例えば、液晶表示装置）（図示せず）に表示することによって、モニター手段を通して後方視認することが可能となる。
【００２６】
上述したモニターカバー１４は、モニターハウジング１２の一端部に被嵌するようにして取り付けられ、例えば接着剤、接着テープなどにより固定される。かく装着した状態においては、図３に示すように、カバー本体１６の位置決め突部３２（環状突部）がモニターハウジング１２の受光部４０の外周側に位置するとともに、その端壁部２０の開口２２が、受光部４０に対応してその前面側に位置し、外部からの光は、この開口２２を通し、更に受光部４０及びレンズ手段４２を通して撮像手段４４に至る。また、この装着状態においては、カバー本体１６の位置決め突部３２がモニターハウジング１２の前端壁３４の前面に当接し、これによって、受光部４０（具体的には、カバー部材３８）と水滴流下部材２４との間の間隔を一定に保つことができる。尚、この間隔については、１〜３ｍｍ程度に設定するのが好ましい。
【００２７】
上述したビューモニター装置において、雨天時などにおいてモニターハウジング１２の受光部４０（具体的には、カバー部材３８）の表面に水滴が付着し、付着した水滴が大きく成長すると水滴防止部材２４の内面に接触するようになる。このように接触すると、この水滴は水滴流下部材２４に沿って流下し、水滴流下部材２４の他端部（図２及び図３において下端部）から落下して受光部４０表面から除去され、かくして、受光部４０に水滴が溜まって後方視認ができなくなるのを防止することができる。
【００２８】
次いで、図４を参照して、モニターカバーの変形形態について説明する。尚、以下の実施形態において、上述した実施形態と実質上同一の部材には同一の参照番号を付し、その説明を省略する。
【００２９】
図４において、この変形形態では、水滴流下部材２４Ａに修正が施され、その他の構成は、上述した実施形態と実質上同一である。水滴流下部材２４Ａは、カバー本体１６の前面側に傾斜して設けられ、その一端側がカバー本体１６の端壁部２０の一端部（図４において上端部）を貫通し、その一端側の係止部２８が端壁部２０の内面に係止され、その他端側がカバー本体１６の端壁部２０の他端部（図４において下端部）を貫通し、その他端側の係止部３０が端壁部２０の内面に係止されている。そして、水滴流下部材２４Ａの一端側は、端壁部２０の前面から外側に大きく突出し、その他端側はその表面からほとんど突出しておらず、このように構成することによって、水滴流下部材２４Ａは、端壁部２０の前面側に傾斜して延び、受光部４０（具体的には、モニターハウジングのカバー部材）との間隔は、その一端側（図４において上端側）からその他端側（図４において下端側）に向けて漸減するように構成されている。
【００３０】
このように傾斜した水滴流下部材２４Ａを設けることによって、モニターハウジングの受光部に付着した水滴は、水滴流下部材２４Ａの他端側ほど接触し易くなり、従って、水滴が大きく成長しだすと水滴流下部材２４Ａに接触してこれに沿って流下し、かくして、水滴が大きく成長するのを防止しながら付着した水滴を効果的に流下することができる。
【００３１】
次に、図５を参照して、ビューモニター装置の他の実施形態について説明する。この他の実施形態では、モニターカバーが省略され、水滴流下部材２４Ｂが直接的にモニターハウジング１２に取り付けられている。
【００３２】
図５において、水滴流下部材２４Ｂ自体の構成は、図４に示すものと実質上同一であり、モニターハウジング１２の前端壁３４の前面側に傾斜して設けられ、その一端側がカバー本体１６の前端壁３４の一端部（図５において上端部）を貫通し、その一端側の係止部２８が前端壁３４の内面に係止され、その他端側が前端壁３４の他端部（図４において下端部）を貫通し、その他端側の係止部３０が前端壁３４の内面に係止されている。
【００３３】
このような構成のビューモニター装置においても、受光部４０（具体的には、カバー部材３８）の前面側に水滴防止部材２４Ｂが設けられているので、この受光部４０に付着した水滴が成長すると水滴流下部材２４Ｂに接触して流下するようになり、従って、上述したと同様に、この受光部４０に水滴が溜まるのを防止することができる。
【００３４】
以上、本発明に従うビューモニター装置（及びこれに装着するモニターカバー）の実施形態について説明したが、本発明はかかる実施形態に限定されるものではなく、本発明の範囲を逸脱することなく種々の変形乃至修正が可能である。
【００３５】
例えば、上述した実施形態では、モニターカバー１４（１４Ａ）の開口２２（又はモニターハウジング１２の受光部４０）に水滴流下部材２４（２４Ａ，２４Ｂ）を一つ設けているが、このような水滴防止部材２４を幅方向に間隔をおいて二つ又は三つ以上設けることもでき、例えば幅方向に二つ設ける場合、この開口２２（又はこの受光部４０）の幅方向片側に一方の水滴防止部材２４（２４Ａ，２４Ｂ）を設け、その幅方向他側に他方の水滴防止部材２４（２４Ａ，２４Ｂ）を設けるようにすることができる。
【符号の説明】
【００３６】
２，２Ｂ  ビューモニター装置
４  車両
１２  モニターハウジング
１４  モニターカバー
１６  カバー本体
２２  開口
２４，２４Ａ，２４Ｂ  水滴流下部材
３６  受光開口
４０  受光部
【図１】
2015046775.tif 000003
【図２】
2015046775.tif 000004
【図３】
2015046775.tif 000005
【図４】
2015046775.tif 000006
【図５】
2015046775.tif 000007